【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
単一の画像データを複数のビットプレーンに分離するビットプレーン分離手段と、
前記複数のビットプレーンを構成する同位置のビットデータを近傍位置に配列して単一のビットプレーンに合成する圧縮前処理手段と、
前記単一のビットプレーンを画像圧縮するデータ圧縮手段とを有し、
前記データ圧縮手段は、近傍の画素の相関が高ければ圧縮率が高くなる圧縮方式で画像圧縮する、画像符号化装置。
【請求項２】
単一の画像データを複数のビットプレーンに分離するビットプレーン分離手段と、
異なるビットプレーンに属する相関が高い画素が近傍に位置する画素となるように、前記複数のビットプレーンを単一のビットプレーンに合成する圧縮前処理手段と、
近傍に位置した画素間の相関を利用した圧縮方法により、前記単一のビットプレーンを画像圧縮するデータ圧縮手段とを有する、画像符号化装置。
【請求項３】
前記圧縮前処理手段は、前記複数のビットプレーンをライン単位で単一のビットプレーンに合成する、請求項１または２記載の画像符号化装置。
【請求項４】
請求項１または２に記載の画像符号化装置で符号化されたデータを復号化する画像復号化装置であって、
前記符号化されたデータを単一のビットプレーンに伸長するデータ伸長手段と、
前記単一のビットプレーンを複数のビットプレーンに分離する伸長後処理手段と、
前記複数のビットプレーンを画像データに統合するビットプレーン統合手段とを有する、画像復号化装置。
【請求項５】
単一の画像データを複数のビットプレーンに分離するビットプレーン分離ステップと、
前記複数のビットプレーンを構成する同位置のビットデータを近傍位置に配列して単一のビットプレーンに合成する圧縮前処理ステップと、
前記単一のビットプレーンを画像圧縮するデータ圧縮ステップとを有し、
前記データ圧縮ステップは、近傍の画素の相関が高ければ圧縮率が高くなる圧縮方式で画像圧縮する、画像符号化方法。
【請求項６】
単一の画像データを複数のビットプレーンに分離するビットプレーン分離ステップと、
異なるビットプレーンに属する相関が高い画素が近傍に位置する画素となるように、前記複数のビットプレーンを単一のビットプレーンに合成する圧縮前処理ステップと、
近傍に位置した画素間の相関を利用した圧縮方法により、前記単一のビットプレーンを画像圧縮するデータ圧縮ステップとを有する、画像符号化方法。
【請求項７】
請求項５または６に記載の画像符号化方法で符号化されたデータを復号化する画像復号化方法であって、
前記符号化されたデータを単一のビットプレーンに伸長するデータ伸長ステップと、
前記単一のビットプレーンを複数のビットプレーンに分離する伸長後処理ステップと、
前記複数のビットプレーンを画像データに統合するビットプレーン統合ステップとを有する、画像復号化方法。
【手続補正２】
【補正対象書類名】明細書
【補正対象項目名】００１０
【補正方法】変更
【補正の内容】
【００１０】
本発明によると画像符号化装置は、単一の画像データを複数のビットプレーンに分離するビットプレーン分離手段と、前記複数のビットプレーンを構成する同位置のビットデータを近傍位置に配列して単一のビットプレーンに合成する圧縮前処理手段と、前記単一のビットプレーンを画像圧縮するデータ圧縮手段とを有し、前記データ圧縮手段は、近傍の画素の相関が高ければ圧縮率が高くなる圧縮方式で画像圧縮する。
この発明の他の局面に従うと、画像符号化装置は、単一の画像データを複数のビットプレーンに分離するビットプレーン分離手段と、異なるビットプレーンに属する相関が高い画素が近傍に位置する画素となるように、前記複数のビットプレーンを単一のビットプレーンに合成する圧縮前処理手段と、近傍に位置した画素間の相関を利用した圧縮方法により、前記単一のビットプレーンを画像圧縮するデータ圧縮手段とを有する。
好ましくは前記圧縮前処理手段は、前記複数のビットプレーンをライン単位で単一のビットプレーンに合成する。
好ましくは画像符号化装置で符号化されたデータを復号化する画像復号化装置は、前記符号化されたデータを単一のビットプレーンに伸長するデータ伸長手段と、前記単一のビットプレーンを複数のビットプレーンに分離する伸長後処理手段と、前記複数のビットプレーンを画像データに統合するビットプレーン統合手段とを有する。
この発明のさらに他の局面に従うと、画像符号化方法は、単一の画像データを複数のビットプレーンに分離するビットプレーン分離ステップと、前記複数のビットプレーンを構成する同位置のビットデータを近傍位置に配列して単一のビットプレーンに合成する圧縮前処理ステップと、前記単一のビットプレーンを画像圧縮するデータ圧縮ステップとを有し、前記データ圧縮ステップは、近傍の画素の相関が高ければ圧縮率が高くなる圧縮方式で画像圧縮する。
この発明のさらに他の局面に従うと、画像符号化方法は、単一の画像データを複数のビットプレーンに分離するビットプレーン分離ステップと、異なるビットプレーンに属する相関が高い画素が近傍に位置する画素となるように、前記複数のビットプレーンを単一のビットプレーンに合成する圧縮前処理ステップと、近傍に位置した画素間の相関を利用した圧縮方法により、前記単一のビットプレーンを画像圧縮するデータ圧縮ステップとを有する。
この発明のさらに他の局面に従うと、画像複号化方法は、上記に記載の画像符号化方法で符号化されたデータを復号化する画像復号化方法であって、符号化されたデータを単一のビットプレーンに伸長するデータ伸長ステップと、単一のビットプレーンを複数のビットプレーンに分離する伸長後処理ステップと、複数のビットプレーンを画像データに統合するビットプレーン統合ステップとを有する。
また上記課題を解決するために、単一の画像データを複数のビットプレーンに分離するビットプレーン分離器と、前記複数のビットプレーンを構成する同位置のビットデータを近傍位置に配列して単一のビットプレーンに合成する圧縮前処理器と、前記単一のビットプレーンを画像圧縮するデータ圧縮器とを有する画像符号化装置、及び前記画像符号化装置で圧縮されたデータを単一のビットプレーンに伸長するデータ伸長器と、前記単一のビットプレーンを複数のビットプレーンに分離する伸長後処理器と、前記複数のビットプレーンを画像データに統合するビットプレーン統合器とを有する画像復号化装置を提供することもできる。本発明によれば、単一の画像データを複数のビットプレーンに分離し、前記複数のビットプレーンを構成する同じ位置にあるビットデータが近傍するように配列して単一のビットプレーンを合成し、前記単一のビットプレーンを画像圧縮することにより、多値画像圧縮時に圧縮容量を減少させるとともに２値画像圧縮の標準方式にも対応することができる。さらに、その復号化をすることができる。
【手続補正３】
【補正対象書類名】明細書
【補正対象項目名】００１１
【補正方法】変更
【補正の内容】
【００１１】
また発明として、前記圧縮前処理器が、前記複数のビットプレーンをライン単位で単一のビットプレーンを合成する画像符号化装置を提供することもできる。本発明によれば、複数のビットプレーンを単一のビットプレーンに合成する際に、ライン単位で処理を行うことができるため、多値画像圧縮時に圧縮容量を減少させるとともに２値画像圧縮の標準方式にも対応することができ、さらに単一のビットプレーン合成時の処理を軽減することができる。
【手続補正４】
【補正対象書類名】明細書
【補正対象項目名】００１２
【補正方法】変更
【補正の内容】
【００１２】
また発明として、前記画像符号化装置において、前記圧縮前処理器で合成された単一のビットプレーンの画像圧縮後のデータ容量と、前記複数の各ビットプレーンの画像圧縮後のデータ容量の総和とを比較し、容量の少ない側を圧縮後のデータとして採用する容量比較器を追加することにより、複数のビットプレーンを単一のビットプレーンに合成してから圧縮する方法と複数のビットプレーンを個々に圧縮する方法との両方に対応することができるため、元画像のデータの特性に関わらず常に最適な圧縮手法を採用することができる。
【手続補正５】
【補正対象書類名】明細書
【補正対象項目名】００１３
【補正方法】変更
【補正の内容】
【００１３】
また発明として、前記画像復号化装置において、前記データ伸長器で伸長された単一のビットプレーンが複数のビットプレーンを単一のビットプレーンに合成してから圧縮したビットプレーンであるか又は複数のビットプレーンを個々に圧縮したビットプレーンであるかを判定するデータ種類判定器を追加することにより、複数のビットプレーンを単一のビットプレーンに合成してから圧縮したデータと複数のビットプレーンを個々に圧縮したデータとの両方の復号化を行うことができる。
【手続補正６】
【補正対象書類名】明細書
【補正対象項目名】００１４
【補正方法】変更
【補正の内容】
【００１４】
また発明として、連続的に入力される複数の画像データを構成する同位置のビットデータを近傍位置に配列して単一の画像データを合成する圧縮前処理器と、前記単一の画像データを画像圧縮するデータ圧縮器とを有する画像符号化装置、及び前記画像符号化装置で圧縮されたデータを単一の画像データに伸長するデータ伸長器と、前記単一の画像データを複数の画像データに分離する伸長後処理器とを有する画像復号化装置を提供することもできる。本発明によれば、複数の画像データを構成する同位置のラインが近傍となるように単一の画像データを合成し、前記単一の画像データを画像圧縮することにより、類似性の高い複数の画像を圧縮する際に、圧縮容量を減少させるとともに、画像圧縮の標準方式にも対応することができる。さらに、その復号化をすることができる。